(57)【特許請求の範囲】
【請求項１】
解答者の解答を示す情報である解答情報を１以上受け付ける解答情報受付部と、
前記解答情報受付部が受け付けた解答情報であり、一の解答者の解答情報に対応して、当該解答情報を識別する解答識別子を生成する解答識別子生成部と、
解答識別子と解答情報を対応付けて有する解答関連情報を１以上格納し得る解答関連情報格納部と、
前記解答識別子生成部が生成した解答識別子と前記解答情報受付部が受け付けた解答情報とを対応づけて、前記解答関連情報格納部に蓄積する解答関連情報蓄積部と、
前記解答関連情報格納部に格納されている解答情報と解答識別子、および解答識別子を電子ペンで記入する欄である解答識別子記入欄を、一の解答者ごとに、媒体に印刷する、または、解答識別子記入欄が印刷された媒体に、前記解答関連情報格納部に格納されている解答情報と解答識別子を、一の解答者ごとに、印刷する印刷部を具備する解答情報処理装置。
【請求項２】
前記印刷部は、
一の解答者の解答情報に対して、２以上の媒体のそれぞれに、一の解答者の、前記解答関連情報格納部に格納されている解答関連情報と解答識別子と、および解答識別子を電子ペンで記入する欄である解答識別子記入欄を媒体に印刷する、または
一の解答者の解答情報に対して、２以上の媒体のそれぞれに、解答識別子記入欄が印刷された媒体に、一の解答者の、前記解答関連情報格納部に格納されている解答情報と解答識別子を、一の解答者ごとに、印刷する請求項１記載の解答情報処理装置。
【請求項３】
請求項１記載の解答情報処理装置により蓄積された解答関連情報を１以上格納している解答関連情報格納部と、
１以上の電子ペンから、前記解答識別子記入欄に電子ペンを用いて記入された解答識別子と、前記媒体に印刷された解答情報に対する採点に関する情報である採点情報を有する採点者情報を、１以上受信する採点者情報受信部と、
前記採点者情報受信部が受信した採点者情報が有する採点情報を、当該採点者情報が有する解答識別子と対にして、前記解答関連情報格納部に蓄積する採点情報蓄積部を具備する採点情報処理装置。
【請求項４】
前記採点者情報受信部は、
一の解答識別子に対して、２以上の電子ペンから、同一の解答識別子と、異なる採点情報を受信し、
一の解答識別子に対して、当該一の解答識別子に対応する解答情報と、前記２以上の電子ペンから受信した２以上の採点情報を、媒体に印刷する採点結果印刷部をさらに具備する請求項３記載の採点情報処理装置。
【請求項５】
前記採点情報は、媒体上の位置を示す位置情報を有し、
前記採点結果印刷部は、
前記２以上の電子ペンから受信した２以上の採点情報が、互いに重ならないように、当該２以上の採点情報を媒体に印刷する請求項４記載の採点情報処理装置。
【請求項６】
前記採点結果印刷部は、
前記２以上の電子ペンから受信した２以上の採点情報のうち、データ量が最も多い採点者情報を一つ選択し、当該選択した採点情報を媒体に印刷する請求項４記載の採点情報処理装置。
【請求項７】
前記採点結果印刷部は、
前記２以上の電子ペンから受信した２以上の採点情報のうち、問題ごとに、データ量が最も多い採点情報を一つ選択し、当該選択した採点情報を、問題ごとに媒体に印刷する請求項６記載の採点情報処理装置。
【請求項８】
前記採点者情報受信部は、
２以上の電子ペンのそれぞれから、同一の解答識別子と異なる採点情報を有する採点者情報を受信し、
前記同一の解答識別子と対になる２以上の採点情報を比較し、すべての採点情報が示す採点結果が同一か否かを判断する採点結果判断部と、
前記採点結果判断部が、すべての採点情報が示す採点結果が同一ではない、と判断した場合、すべての採点結果が同一ではない旨を示す情報である不適切採点情報を出力する不適切採点情報出力部をさらに具備する請求項３から請求項７いずれか記載の採点情報処理装置。
【請求項９】
解答情報受付部、解答識別子生成部、解答関連情報蓄積部、印刷部により実現される解答情報処理方法であって、
前記解答情報受付部により、解答者の解答を示す情報である解答情報を１以上受け付ける解答情報受付ステップと、
前記解答識別子生成部により、前記解答情報受付ステップで受信した解答情報であり、一の解答者の解答情報に対応して、当該解答情報を識別する解答識別子を生成する解答識別子生成ステップと、
前記解答関連情報蓄積部により、前記解答識別子生成ステップで生成した解答識別子と前記解答情報受付ステップで受信した解答情報とを対応づけて、記憶媒体に蓄積する解答関連情報蓄積ステップと、
前記印刷部により、記憶媒体に格納されている解答情報と解答識別子、および解答識別子を電子ペンで記入する欄である解答識別子記入欄を、一の解答者ごとに、媒体に印刷する、または、解答識別子記入欄が印刷された媒体に、前記解答関連情報格納部に格納されている解答情報と解答識別子を、一の解答者ごとに、印刷する印刷ステップを具備する解答情報処理方法。
【請求項１０】
採点者情報受信部、採点情報蓄積部、採点結果印刷部により実現される採点情報処理方法であって、
前記採点者情報受信部により、１以上の電子ペンから、請求項９記載の解答情報処理方法により印刷された媒体上の解答識別子記入欄に記入された解答識別子と、前記媒体に印刷された解答情報に対する採点に関する情報である採点情報を有する採点者情報を、１以上受信する採点者情報受信ステップと、
前記採点情報蓄積部により、前記採点者情報受信ステップで受信した採点者情報が有する採点情報を、当該採点者情報が有する解答識別子と対にして、記憶媒体に蓄積する採点情報蓄積ステップと、
前記採点結果印刷部により、一の解答識別子に対して、当該一の解答識別子に対応する解答情報と、前記１以上の電子ペンから受信した１以上の採点情報を、媒体に印刷する採点結果印刷ステップを具備する採点情報処理方法。
【請求項１１】
コンピュータを、
解答者の解答を示す情報である解答情報を１以上受け付ける解答情報受付部と、
前記解答情報受付部が受け付けた解答情報であり、一の解答者の解答情報に対応して、当該解答情報を識別する解答識別子を生成する解答識別子生成部と、
前記解答識別子生成部が生成した解答識別子と前記解答情報受付部が受け付けた解答情報とを対応づけて、記憶媒体に蓄積する解答関連情報蓄積部と、
記憶媒体に格納されている解答情報と解答識別子、および解答識別子を電子ペンで記入する欄である解答識別子記入欄を、一の解答者ごとに、媒体に印刷する、または、解答識別子記入欄が印刷された媒体に、前記記憶媒体に格納されている解答情報と解答識別子を、一の解答者ごとに、印刷する印刷部として機能させるためのプログラム。
【請求項１２】
記録媒体に、
一の解答者の解答情報に対応して生成された解答識別子と解答情報を対応付けて有する解答関連情報を１以上格納しており、
コンピュータを、
請求項１１記載のプログラムを用いて、一の解答者ごとに、解答情報と解答識別子とが印刷された媒体が有する解答識別子記入欄に記入された解答識別子と、前記解答情報に対する採点に関する情報である採点情報を有する１以上の採点者情報を、１以上の電子ペンから受信する採点者情報受信部と、
前記採点者情報受信部が受信した採点者情報が有する採点情報を、当該採点者情報が有する解答識別子と対にして、前記記憶媒体に蓄積する採点情報蓄積部と、
一の解答識別子に対して、当該一の解答識別子に対応する解答情報を記憶媒体から読み出し、当該解答情報と、前記１以上の電子ペンから受信した１以上の採点情報を、媒体に印刷する採点結果印刷部として機能させるためのプログラム。
【発明の詳細な説明】
【技術分野】
【０００１】
本発明は、教育等のために利用する情報処理システム等に関するものである。
【背景技術】
【０００２】
従来、一の媒体に情報を記載する複数の電子ペンから情報を受信し、当該情報に基づいて、電子ペンを識別するペン識別子と、媒体を識別する情報である媒体識別子と、記載情報を取得し、ペン識別子と媒体識別子と記載情報を対応付けて蓄積する情報処理装置があった（例えば、特許文献１参照）。かかる情報処理装置により、一の媒体に複数人で記載した情報が後で利用でき、複数人の協働作業ができる。具体的には、生徒の解答と先生の採点やコメントが、媒体識別子により自動的に関連付けられる。したがって、情報処理装置が出力機能を有する場合、または、他の装置により出力できる環境であれば、テストの解答と採点結果など合成して出力できる。
【０００３】
また、従来、第一の用紙に対して、電子ペンで記載した情報を特定する情報である第一記載情報を有する第一ペン記載情報を受信する第一ペン記載情報受信部と、第二の用紙に対して、電子ペンで記載した情報を特定する情報である第二記載情報を有する第二ペン記載情報を受信する第二ペン記載情報受信部と、第一記載情報に基づいて、第一の用紙の利用者を決定する利用者決定部と、利用者決定部が決定した利用者に関する情報と対応付けて、第二ペン記載情報または第二ペン記載情報に基づく情報を蓄積する第二ペン記載情報蓄積部を具備する情報処理装置があった（例えば、特許文献２参照）。かかる情報処理装置により、電子ペンの利用者を特定するための用紙と、必要な情報を記載する用紙を分離して扱うことができる。
【０００４】
また、答案用紙に対して、ペンで記載する内容を、該ペンを介して電子的に取得する技術があった（例えば、特許文献３参照）。また、特許文献２において、解答用紙に、該解答用紙が何の科目のものであるかを特定するような情報を記載する欄を設ける点に関しても言及されている。
【０００５】
また、ペンを識別する技術に関して記載されている（例えば、特許文献４参照）。
【０００６】
さらに、従来、記載した情報を外部に送信できる電子ペンとしてアノト社の電子ペンがある（非特許文献１参照）。この電子ペンは、通常のペンに超小型カメラ、画像認識装置、それにＢｌｕｅｔｏｏｔｈ（Ｂｌｕｅｔｏｏｔｈは「テレフオンアクチーボラゲット  エル  エム  エリクソン」社の登録商標。）送受信装置を備え付けたもので、専用紙に書かれた手書きの内容を読み取り、解析し、パソコン、携帯電話、ファックス等の情報通信機器に即時送受信できるものである。
【特許文献１】特開２００４−２５２６８９（第１頁、第１図等）
【特許文献２】特開２００４−３６２０２３公報（第１頁、第１図等）
【特許文献３】特開２００３−１０７９７９号公報（第１頁、第１図等）
【特許文献４】特開平０７−２８１８６１号（第１頁、第１図等）
【非特許文献１】アノト日本株式会社ホームページ、インターネット＜URL:http://www.anoto.jp/tsuite.html＞
【発明の開示】
【発明が解決しようとする課題】
【０００７】
しかしながら、採点者が、例えば、身内（例えば、弟や実の子供など）の解答者識別子（受験番号や添削者のＩＤなど）を、事前に知っている場合などでは、従来の解答情報処理装置においては、採点者が、不正な採点をしてしまったり、身内である解答者への採点や指導のみを丁寧に行ったりするなど、不適切な採点、指導をする場合もあった。
【０００８】
また、受験番号や添削者などの受講生が解答者識別子を、答案用紙に記載することの誤りに対応できなかった。
【課題を解決するための手段】
【０００９】
本第一の発明の解答情報処理装置は、解答者の解答を示す情報である解答情報を１以上受け付ける解答情報受付部と、前記解答情報受付部が受け付けた解答情報であり、一の解答者の解答情報に対応して、当該解答情報を識別する解答識別子を生成する解答識別子生成部と、解答識別子と解答情報を対応付けて有する解答関連情報を１以上格納し得る解答関連情報格納部と、前記解答識別子生成部が生成した解答識別子と前記解答情報受付部が受け付けた解答情報とを対応づけて、前記解答関連情報格納部に蓄積する解答関連情報蓄積部と、前記解答関連情報格納部に格納されている解答情報と解答識別子、および解答識別子を電子ペンで記入する欄である解答識別子記入欄を、一の解答者ごとに、媒体に印刷する、または、解答識別子記入欄が印刷された媒体に、前記解答関連情報格納部に格納されている解答情報と解答識別子を、一の解答者ごとに、印刷する印刷部を具備する解答情報処理装置である。
【００１０】
かかる構成により、解答が記載された答案用紙の解答者の解答識別子を解答情報処理装置で自動的に付与し、答案用紙に印刷するので、採点者にとって、答案用紙の解答者が特定できないために、心情に左右されない適切な採点が可能であり、かつ、解答情報処理装置は、解答情報が示す解答が、誰の解答であるかを認識できる。また、解答者（受講生など）が受講番号や受験番号などの番号を記載させないので、大規模なテスト等において、必ず発生する受講番号や受験番号などの番号間違いに対応できる。
【００１１】
また、本第二の発明の解答情報処理装置は、第一の発明に対して、前記印刷部は、一の解答者の解答情報に対して、２以上の媒体のそれぞれに、一の解答者の、前記解答関連情報格納部に格納されている解答関連情報と解答識別子と、および解答識別子を電子ペンで記入する欄である解答識別子記入欄を媒体に印刷する、または一の解答者の解答情報に対して、２以上の媒体のそれぞれに、解答識別子記入欄が印刷された媒体に、一の解答者の、前記解答関連情報格納部に格納されている解答情報と解答識別子を、一の解答者ごとに、印刷する解答情報処理装置である。
【００１２】
かかる構成により、一つの答案に対して、２以上の採点者により、採点できる。
【００１３】
また、本第三の発明の解答情報処理装置は、第一の発明に対して、解答情報処理装置により蓄積された解答関連情報を１以上格納している解答関連情報格納部と、１以上の電子ペンから、前記解答識別子記入欄に記入された解答識別子と、前記媒体に印刷された解答情報に対する採点に関する情報である採点情報を有する採点者情報を、１以上受信する採点者情報受信部と、前記採点者情報受信部が受信した採点者情報が有する採点情報を、当該採点者情報が有する解答識別子と対にして、前記解答関連情報格納部に蓄積する採点情報蓄積部を具備する採点情報処理装置である。
【００１４】
かかる構成により、１以上の採点者の採点情報を受信し、格納されている解答関連情報と採点情報とを紐付けできる。
【００１５】
また、本第四の発明の解答情報処理装置は、第三の発明に対して、前記採点者情報受信部は、一の解答識別子に対して、２以上の電子ペンから、同一の解答識別子と、異なる採点情報を受信し、一の解答識別子に対して、当該一の解答識別子に対応する解答情報と、前記２以上の電子ペンから受信した２以上の採点情報を、媒体に印刷する採点結果印刷部をさらに具備する採点情報処理装置である。
【００１６】
かかる構成により、２以上の採点者の採点情報をマージし、採点結果を出力できる。かかることにより、２以上の各採点者が、異なる問題に対する解答について、それぞれ採点できる。つまり、採点の分業を可能にする。
【００１７】
また、本第五の発明の解答情報処理装置は、第四の発明に対して、前記採点情報は、媒体上の位置を示す位置情報を有し、前記採点結果印刷部は、前記２以上の電子ペンから受信した２以上の採点情報が、互いに重ならないように、当該２以上の採点情報を媒体に印刷する採点情報処理装置である。
【００１８】
かかる構成により、２以上の採点者の採点情報をマージし、採点結果を出力する場合に、重ならないように出力できる。
【００１９】
また、本第六の発明の解答情報処理装置は、第四の発明に対して、前記採点結果印刷部は、前記２以上の電子ペンから受信した２以上の採点情報のうち、データ量が最も多い採点者情報を一つ選択し、当該選択した採点情報を媒体に印刷する採点情報処理装置である。
【００２０】
かかる構成により、２以上の採点者の採点情報のうち、一の採点情報を選択して採用できる。したがって、優れていると推定できる採点情報を利用できる。
【００２１】
また、本第七の発明の採点情報処理装置は、第六の発明に対して、前記採点結果印刷部は、前記２以上の電子ペンから受信した２以上の採点情報のうち、問題ごとに、データ量が最も多い採点情報を一つ選択し、当該選択した採点情報を、問題ごとに媒体に印刷する採点情報処理装置である。
【００２２】
かかる構成により、問題ごとに、２以上の採点者の採点情報のうち、一の採点情報を選択して採用できる。
【００２３】
また、本第八の発明の解答情報処理装置は、第三から第七いずれかの発明に対して、前記採点者情報受信部は、２以上の電子ペンのそれぞれから、同一の解答識別子と異なる採点情報を有する採点者情報を受信し、前記同一の解答識別子と対になる２以上の採点情報を比較し、すべての採点情報が示す採点結果が同一か否かを判断する採点結果判断部と、前記採点結果判断部が、すべての採点情報が示す採点結果が同一ではない、と判断した場合、すべての採点結果が同一ではない旨を示す情報である不適切採点情報を出力する不適切採点情報出力部をさらに具備する採点情報処理装置である。
【００２４】
かかる構成により、複数の採点者の採点結果の正誤をチェックし、すべての採点者の採点結果が一致しない場合に、その旨を出力できる。
【発明の効果】
【００２５】
本発明による解答情報処理装置によれば、採点者に解答者を特定できないため、公正な採点が期待できる。
【発明を実施するための最良の形態】
【００２６】
以下、解答情報処理装置等の実施形態について図面を参照して説明する。なお、実施の形態において同じ符号を付した構成要素は同様の動作を行うので、再度の説明を省略する場合がある。
（実施の形態１）
【００２７】
本実施の形態において、例えば、添削やテストなどの受講生の解答情報を受信し、解答情報に対してＩＤ（解答識別子）を自動付与し、当該解答情報と解答識別子と、解答識別子の記入欄が存在する答案用紙を印刷する解答情報処理装置について説明する。
【００２８】
なお、本実施の形態において説明する答案用紙（媒体）は、採点者（先生）の数だけ、印刷され、当該印刷された答案用紙は、実施の形態２で説明する採点情報処理装置において、利用される。
【００２９】
図１は、本実施の形態における情報処理システム１の概念図である。情報処理システム１は、電子ペン１１、端末装置１２、解答情報処理装置１３、媒体１４を具備する。
【００３０】
電子ペン１１は、当該電子ペン１１で記載された文字等の情報を外部の装置（端末装置１２など）に送信できるペンである。電子ペン１１は、例えば、非特許文献１の電子ペンである。つまり、電子ペン１１は、例えば、いわゆるアノトペンである。端末装置１２は、電子ペン１１が記載された文字等の情報を受信し、解答情報処理装置１３に送信できる装置である。媒体１４は、特殊ドットパターンが印刷されている紙である。但し、紙の材質は問わない。媒体１４は、例えば、いわゆるアノトペーパーである。
【００３１】
図２は、本実施の形態における情報処理システム１のブロック図である。
【００３２】
電子ペン１１は、ペン識別子格納部１１１、座標情報取得部１１２、ペン記載情報構成部１１３、ペン記載情報送信部１１４を具備する。
【００３３】
端末装置１２は、ペン記載情報受信部１２１、ペン記載情報転送部１２２を具備する。
【００３４】
解答情報処理装置１３は、解答情報受付部１３１、解答識別子生成部１３２、解答関連情報格納部１３３、解答関連情報蓄積部１３４、指示受付部１３５、印刷部１３６を具備する。
【００３５】
ペン識別子格納部１１１は、電子ペン１１を識別する情報であるペン識別子を格納している。ペン識別子のデータ構造や内容は問わない。ペン識別子格納部１１１は、不揮発性の記録媒体が好適であるが、揮発性の記録媒体でも実現可能である。
【００３６】
座標情報取得部１１２は、媒体１４の中の座標の情報である座標情報を取得する。座標情報取得部１１２が座標情報を取得する方法として、例えば、以下の方法がある。媒体１４に図３に示す特殊ドットパターンが印刷されている場合に、座標情報取得部１１２は、特殊ドットパターンによる座標検出技術で実現され得る。具体的には、例えば、図３のような構成になる。図３の構成は、ＣＣＤカメラ３０１、パターン認識と解析を行うプロセッサ３０２で構成される。特殊ドットパターンは、０．３ｍｍピッチのグリッドに沿ってドットを示し、そのドットの配置をＲｉｇｈｔ／Ｌｅｆｔ／Ｕｐ／Ｄｏｗｎの４パターンで振り分けることでコード化を図る。そして、ＣＣＤカメラより、特殊ドットパターンを６０フレーム／秒で撮影し、入力する。そして、撮影した画像情報を解析することにより、入力装置であるＣＣＤカメラの移動（すなわち撮影されるドットパターンの変化）を検出することができる。ＣＣＤカメラの移動を検出することにより、静的物体中の相対的な座標情報を取得できる。なお、座標情報取得部１１２の別の手段として、以下のものが考えられる。媒体１４の表面に、座標情報を示すバーコードが印刷されており、座標情報取得部１１２は、当該バーコードを読み込み、座標情報を得るバーコードリーダーで実現される。
【００３７】
ペン記載情報構成部１１３は、ペン識別子格納部１１１のペン識別子と、座標情報取得部１１２が取得した１以上の座標情報を有するペン記載情報を構成する。ペン記載情報のデータ構造は問わない。ペン記載情報構成部１１３は、通常、ＭＰＵやメモリ等から実現され得る。ペン記載情報構成部１１３が記載情報を構成するための処理手順は、通常、ソフトウェアで実現され、当該ソフトウェアはＲＯＭ等の記録媒体に記録されている。但し、ハードウェア（専用回路）で実現しても良い。
【００３８】
ペン記載情報送信部１１４は、ペン記載情報構成部１１３が構成したペン記載情報を端末装置１２に送信する。ペン記載情報送信部１１４は、無線または有線の通信手段で実現され得る。特に、無線通信手段で実現するのが好適である。但し、放送手段により実現しても良い。
【００３９】
ペン記載情報受信部１２１は、電子ペン１１から送信されたペン記載情報を受信する。ペン記載情報受信部１２１は、通常、無線または有線の通信手段で実現されるが、放送を受信する手段で実現されても良い。なお、ペン記載情報受信部１２１は、例えば、Ｂｌｕｅｔｏｏｔｈの規約による情報の受信手段である。
【００４０】
ペン記載情報転送部１２２は、ペン記載情報受信部１２１が受信したペン記載情報を、解答情報処理装置１３に送信する。ペン記載情報転送部１２２は、通常、無線または有線の通信手段で実現されるが、放送手段で実現されても良い。
【００４１】
解答情報受付部１３１は、解答者の解答を示す情報である解答情報を１以上受け付ける。解答情報とは、１以上の問題に対する解答を示す情報である。解答情報とは、一人の解答の情報である。解答情報は、ペン記載情報が有する座標情報でも良いし、座標情報を文字コード列等に変換した情報でも良い。なお、解答情報が文字コード列等に変換した情報である場合、座標情報を文字コード列等に変換する文字認識処理は、例えば、図示しない装置により、実行される。解答情報受付部１３１は、解答情報に加えて、通常、ペン識別子を受信する。解答情報受付部１３１は、一人以上から解答情報を受信する。解答情報受付部１３１は、二人以上から解答情報を受信しても良い。解答情報受付部１３１は、端末装置１２から解答情報を受信するが、電子ペン１１から解答情報を、直接受信しても良い。また、「受け付け」とは、通常、受信であるが、手入力による受け付け、記憶媒体からの読み出し、なども含む。解答情報受付部１３１は、通常、無線または有線の通信手段で実現されるが、放送を受信する手段で実現されても良い。
【００４２】
解答識別子生成部１３２は、一の解答者の解答情報に対応して、当該解答情報を識別する解答識別子を生成する。この解答情報は、解答情報受付部１３１で受信した解答情報である。また、解答識別子生成部１３２が解答識別子を生成するタイミングは問わない。解答識別子生成部１３２は、解答情報受付部１３１における解答情報の受信に対応して、当該解答情報を識別する解答識別子を生成しても良い。ここで、「解答情報の受信に対応して」とは、解答情報の受信の終了信号を受け付けたことに対応していることでも良い。つまり、解答識別子生成部１３２は、解答情報受付部１３１が一人の受講生の解答情報に対して、解答識別子を生成する。また、解答識別子生成部１３２は、ユーザの指示により、一の解答者の解答情報に対応して、当該解答情報を識別する解答識別子を生成しても良い。解答識別子とは、数値、英文字列、英数字列などであり、一意に解答情報を識別できれば良い。「解答識別子を生成する」とは、例えば、解答識別子となり得る数値をバッファに格納しており、その数値に１を加えた数値を次の解答識別子として得て、出力することである。この際、新たな数値をバッファに格納する。また、「解答識別子を生成する」とは、例えば、解答識別子となり得る記号をバッファに格納しており、その記号に対して、予め決められたルールを適用し、新たな記号を構成し、当該記号を次の解答識別子として得て、出力することである。この際、新たな記号をバッファに格納する。「解答識別子を生成する」とは、例えば、乱数発生器により、今まで発生していない乱数が発生されるまで、乱数を発生させ、今まで発生していない乱数が発生した場合に、当該乱数を解答識別子とすることである。なお、解答識別子を生成するアルゴリズムは問わない。解答識別子生成部１３２は、通常、ＭＰＵやメモリ等から実現され得る。解答識別子生成部１３２の処理手順は、通常、ソフトウェアで実現され、当該ソフトウェアはＲＯＭ等の記録媒体に記録されている。但し、ハードウェア（専用回路）で実現しても良い。
【００４３】
解答関連情報格納部１３３は、１以上の解答関連情報を格納し得る。解答関連情報は、解答識別子と解答情報を対応付けて有する情報である。解答関連情報は、解答情報受付部１３１が受信したペン識別子を有することは好適である。解答関連情報は、別途、ペン識別子と氏名の組の情報である受講生情報を有しても良い。解答関連情報格納部１３３は、不揮発性の記録媒体が好適であるが、揮発性の記録媒体でも実現可能である。解答関連情報格納部１３３に解答関連情報が記憶される過程は問わない。例えば、記録媒体を介して解答関連情報が解答関連情報格納部１３３で記憶されるようになってもよく、通信回線等を介して送信された解答関連情報が解答関連情報格納部１３３で記憶されるようになってもよく、あるいは、入力デバイスを介して入力された解答関連情報が解答関連情報格納部１３３で記憶されるようになってもよい。
【００４４】
解答関連情報蓄積部１３４は、解答識別子生成部１３２が生成した解答識別子と解答情報受付部１３１が受信した解答情報とを対応づけて、解答関連情報格納部１３３に蓄積する。解答関連情報蓄積部１３４は、解答識別子生成部１３２が生成した解答識別子と、解答情報受付部１３１が受信した解答情報とペン識別子とを対応づけて、解答関連情報格納部１３３に蓄積することは好適である。解答関連情報蓄積部１３４は、通常、ＭＰＵやメモリ等から実現され得る。解答関連情報蓄積部１３４の処理手順は、通常、ソフトウェアで実現され、当該ソフトウェアはＲＯＭ等の記録媒体に記録されている。但し、ハードウェア（専用回路）で実現しても良い。
【００４５】
指示受付部１３５は、各種の指示を受け付ける。指示とは、例えば、答案用紙を印刷する印刷指示（印刷部１３６を動作させる指示）である。指示とは、例えば、解答関連情報格納部１３３に格納されている解答関連情報の一部または全部等の情報を表示する指示である。指示受付部１３５は、ユーザから指示を受け付けても良いし、端末装置１２などの外部装置から指示を受信しても良い。なお、印刷指示は、通常、解答情報を特定する情報（例えば、ユーザ識別子や、解答識別子など）を有する。ただし、印刷指示は、すべての解答情報（答案用紙）を印刷する指示でも良い。指示の入力手段は、キーボードやマウスやメニュー画面によるもの等、何でも良い。指示受付部１３５は、キーボード等の入力手段のデバイスドライバーや、メニュー画面の制御ソフトウェア等で実現され得る。
【００４６】
印刷部１３６は、解答関連情報格納部１３３に格納されている解答情報と解答識別子、および解答識別子記入欄を、一の解答者ごとに、媒体１４に印刷する。または、印刷部１３６は、解答関連情報格納部１３３に格納されている解答情報と解答識別子を、一の解答者ごとに、解答識別子記入欄が印刷された媒体１４に、印刷しても良い。印刷部１３６は、結果として、解答情報と解答識別子と解答識別子記入欄とが表出した媒体１４を得れば良い。媒体１４は、例えば、いわゆる答案用紙である。媒体１４には、問題が印刷されていることは好適である。なお、解答識別子記入欄とは、採点者等が電子ペン１１で解答識別子を記入する欄である。
【００４７】
印刷部１３６は、一の解答者の解答情報に対して、２以上の同一の答案用紙を印刷しても良い。各答案用紙には、上述したように、一の解答者の、解答関連情報格納部１３３に格納されている解答関連情報と解答識別子と、および解答識別子記入欄が印刷されている。また、印刷部１３６は、一の解答者の解答情報に対して、２以上の媒体１４のそれぞれに、一の解答者の、解答関連情報格納部１３３に格納されている解答関連情報と解答識別子を、解答識別子記入欄が印刷された媒体１４に、印刷しても良い。かかる場合、印刷部１３６は、２以上の媒体１４のそれぞれに、同一の情報を印刷する。また、２以上の媒体１４は、通常、それぞれ、異なる採点者に渡される媒体１４である。媒体１４とは、通常、材質は紙であるが、文字等が記入可能であれば、材質は問わない。印刷部１３６は、例えば、指示受付部１３５が印刷指示を受け付けた場合に、上記の動作を行う。ただし、印刷部１３６は、解答情報受付部１３１が解答情報を受信した後、指示の受付なしに、印刷処理を行っても良い。ただし、印刷部１３６が印刷処理を行うタイミングは、問わない。また、印刷部１３６が印刷処理を完了した媒体１４は、解答情報と解答識別子と解答識別子記入欄が表出された媒体である。つまり、印刷部１３６は、解答情報と解答識別子と解答識別子記入欄を同一のタイミングで印刷しても良いし、解答識別子記入欄が印刷された媒体１４に対して、解答情報と解答識別子を印刷しても良い。印刷部１３６は、通常、ＭＰＵやメモリ等から実現され得る。印刷部１３６の処理手順は、通常、ソフトウェアで実現され、当該ソフトウェアはＲＯＭ等の記録媒体に記録されている。但し、印刷部１３６は、プリンタやプリンタドライバ等により実現されても良い。
【００４８】
次に、情報処理システム１の動作について説明する。まず、電子ペン１１の動作について説明する。まず、ペン記載情報構成部１１３は、ペン識別子格納部１１１のペン識別子を取得する。次に、座標情報取得部１１２は、映像を取得したか否かを判断する。映像とは、例えば、図１の電子ペン１１のカメラで取得した映像である。そして、映像を取得すれば座標情報取得部１１２は、取得した映像および／または先に取得した映像から座標情報を構成する。また、映像を取得しなければ、ペン記載情報構成部１１３は、既に構成した座標情報を一時的に記録する。次に、ペン記載情報送信部１１４は、ペン記載情報を送信すべきか否かを判断する。かかる判断は、どのような条件により行っても良い。例えば、ペン記載情報送信部１１４は、メモリ上の座標情報が一杯になったことを検知して、ペン記載情報を送信すべきと判断しても良い。また、ペン記載情報送信部１１４は、一定時間間隔で、ペン記載情報を送信すべきであると判断しても良い。また、ペン記載情報送信部１１４は、ユーザの指示（特定のボタンの押下など）を受け付けた場合に、ペン記載情報を送信すべきであると判断しても良い。ペン記載情報送信部１１４がペン記載情報を送信すべきと判断した場合は、ペン記載情報構成部１１３は、取得したペン識別子と、記録されている１以上の座標情報からペン記載情報を構成する。ペン記載情報送信部１１４は、ステップＳ４０６で構成したペン情報を端末装置１２に送信する。なお、ペン記載情報送信部１１４は、例えば、端末装置１２のＩＰアドレス等を保持している。また、送信すべきでないと判断した場合は、座標情報取得部１１２による座標情報の取得処理を行う。なお、電子ペン１１は公知技術であるので、これ以上の詳細な説明を省略する。
【００４９】
次に、端末装置１２の動作について説明する。端末装置１２のペン記載情報受信部１２１は、電子ペン１１からペン記載情報を受信する。そして、ペン記載情報転送部１２２は、ペン記載情報受信部１２１が受信したペン記載情報を、解答情報処理装置１３に送信する。なお、ペン記載情報転送部１２２は、例えば、解答情報処理装置１３のＩＰアドレス等を保持している。
【００５０】
次に、解答情報処理装置１３の動作について、図４のフローチャートを用いて説明する。
【００５１】
（ステップＳ４０１）解答情報処理装置１３の解答情報受付部１３１は、解答情報等を受信したか否かを判断する。解答情報等を受信すればステップＳ４０２に行き、解答情報等を受信しなければステップＳ４０６に行く。なお、解答情報等とは、例えば、解答情報とユーザ識別子である。ユーザ識別子は、例えば、受講生が使っている電子ペンのペン識別子や、受講生が入力したユーザＩＤなど、受講生を一意に特定する情報である。
【００５２】
（ステップＳ４０２）解答識別子生成部１３２は、新たな解答識別子を生成する。解答識別子生成部１３２は、例えば、直近に生成された解答識別子を読み出し、当該解答識別子に対して所定の演算（例えば、１を加算する）を行い、新たな解答識別子を生成し、当該新たな解答識別子をメモリ上に配置する。
【００５３】
（ステップＳ４０３）解答関連情報蓄積部１３４は、ステップＳ４０１で受信した解答情報、およびステップＳ４０２で生成した解答識別子を用いて、解答関連情報を構成する。
【００５４】
（ステップＳ４０４）解答関連情報蓄積部１３４は、ステップＳ４０１で受信したユーザ識別子を取得する。
【００５５】
（ステップＳ４０５）解答関連情報蓄積部１３４は、ステップＳ４０４で取得したユーザ識別子に対応付けて、ステップＳ４０３で構成した解答関連情報を、解答関連情報格納部１３３に蓄積する。ステップＳ４０１に戻る。
【００５６】
（ステップＳ４０６）指示受付部１３５は、印刷指示を受け付けたか否かを判断する。印刷指示を受け付ければステップＳ４０７に行き、印刷指示を受け付けなければステップＳ４０１に戻る。
【００５７】
（ステップＳ４０７）印刷部１３６は、ステップＳ４０６で受け付けた印刷指示に対応する解答情報を、解答関連情報格納部１３３から読み出す。
【００５８】
（ステップＳ４０８）印刷部１３６は、ステップＳ４０６で受け付けた印刷指示に対応する解答識別子を、解答関連情報格納部１３３から読み出す。
【００５９】
（ステップＳ４０９）印刷部１３６は、ステップＳ４０７で読み出した解答情報と、ステップＳ４０８で読み出した解答識別子を、それぞれ、所定の領域に印刷する。なお、解答情報が座標情報である場合、印刷部１３６は、当該座標情報が示す位置に、解答情報を印刷する。また、印刷部１３６は、通常、解答識別子を、予め決められた位置に印刷する。予め決められた位置についての情報は、印刷部１３６が予め保持している。なお、解答識別子は、通常、文字コード列である。ステップＳ４０１に戻る。印刷部１３６が印刷する媒体は、通常、特殊ドットパターンが印刷されている紙である。印刷部１３６が印刷する媒体は、例えば、いわゆるアノトペーパーである。
【００６０】
なお、図４のフローチャートにおいて、印刷指示により、解答関連情報格納部１３３のすべての解答情報と解答識別子を印刷しても良い。かかる場合、ステップＳ４０７からステップＳ４０９の動作が、解答識別子の数だけ印刷される。
【００６１】
また、図４のフローチャートにおいて、印刷指示により、一の解答識別子に対して、複数の答案用紙を印刷しても良い。かかる場合、印刷される答案用紙は、採点者に対して１枚（１部）ずつ配布されるものである。１部とは、２枚以上の媒体１４（用紙）の場合である。
【００６２】
なお、図４のフローチャートにおいて、電源オフや処理終了の割り込みにより処理は終了する。
【００６３】
以下、本実施の形態における情報処理システムの具体的な動作について説明する。解答情報処理システムの概念図は図１である。
【００６４】
今、添削やテスト等を受ける者（以下、受講生という）が、電子ペン１１を保持しており、日本史のテストに対して、解答している、とする。そして、日本史の解答用紙（媒体１４）は、図５である。また、電子ペン１１のペン識別子格納部１１１には、「１１２２３」というペン識別子が格納されている。なお、ここでの受講生は「山田太郎」である、とする。
【００６５】
また、解答情報処理装置１３の解答関連情報格納部１３３には、図６に示すユーザ管理表が格納されている。ユーザ管理表は、「ＩＤ」「ユーザ識別子」「氏名」「得点」などの属性を有するレコードを１以上保持している。「ＩＤ」は、レコードを識別する情報であり、表におけるレコード管理のために存在する。「ユーザ識別子」は、ここでは、ペン識別子である。「得点」は、例えば、日本史のテストの点数が蓄積され得る。
【００６６】
また、解答関連情報格納部１３３には、図７に示す解答関連情報管理表が格納されている。解答関連情報管理表は、「ＩＤ」「解答識別子」「解答情報」「ユーザ識別子（ペン識別子）」などの属性を有するレコードを１以上保持している。「解答識別子」は、解答情報処理装置１３が生成した解答識別子である。「解答情報」は、電子ペン１１で媒体１４に記述された文字等の軌跡（電子ペン１１の軌跡）を示す座標（ｘ，ｙ）の集合である座標情報である。「ユーザ識別子（ペン識別子）」は、ユーザを識別する情報であり、ここでは電子ペン１１のペン識別子である。また、解答識別子生成部１３２が保持している最新の解答識別子は、「１２３４５６７７」である。さらに、解答識別子生成部１３２は、「直近の解答識別子＋１」により、最新の解答識別子を生成する。
【００６７】
かかる状況において、受講生「山田太郎」が、電子ペン１１を保持しており、日本史のテストに対して、解答している、とする。そして、電子ペン１１には、電子ペン１１の軌跡を示す座標情報（解答情報）が一時格納され、解答を完了した、とする。そして、受講生が、電子ペン１１内に記憶されている解答情報を送信するために、電子ペン１１に存在する図示しない送信ボタンを押下した、とする。なお、送信ボタンの押下は必須ではなく、定期的に、または何らかのタイミングで、電子ペン１１は、解答情報を送信しても良い。また、電子ペン１１による、媒体１４上の「送信」領域のチェックにより、電子ペン１１は、解答情報を送信しても良い。
【００６８】
すると、電子ペン１１のペン記載情報構成部１１３は、記憶媒体に格納されている解答情報と、ペン識別子格納部１１１のペン識別子「１１２２３」を用いて、ペン記載情報「１１２２３，（１２０，４８４）（１２１，４８５）・・・・」を構成したとする。なお、「（１２０，４８４）（１２１，４８５）・・・・」は、解答情報である。
【００６９】
次に、ペン記載情報送信部１１４は、ペン記載情報「１１２２３，（１２０，４８４）（１２１，４８５）・・・・」を、端末装置１２に送信する。
【００７０】
次に、端末装置１２のペン記載情報受信部１２１はペン記載情報「１１２２３，（１２０，４８４）（１２１，４８５）・・・・」を受信し、ペン記載情報転送部１２２はペン記載情報「１１２２３，（１２０，４８４）（１２１，４８５）・・・・」を解答情報処理装置１３に送信する。
【００７１】
次に、解答情報処理装置１３の解答情報受付部１３１は、ペン記載情報「１１２２３，（１２０，４８４）（１２１，４８５）・・・・」を受信する。ペン記載情報は、ここでは、解答情報とペン識別子（ユーザ識別子）を有する。
【００７２】
そして、解答識別子生成部１３２は、直近の解答識別子「１２３４５６７７」を読み出し、「直近の解答識別子＋１」の式の情報を読み出し、当該式の直近の解答識別子に「１２３４５６７７」を代入し、「１２３４５６７８」を得て、メモリ上に配置する。
【００７３】
次に、解答関連情報蓄積部１３４は、解答情報受付部１３１が受信した解答情報「（１２０，４８４）（１２１，４８５）・・・・」と解答識別子生成部１３２が生成した解答識別子「１２３４５６７８」から、解答関連情報を構成する。
【００７４】
次に、解答関連情報蓄積部１３４は、解答情報受付部１３１が受信したユーザ識別子「１１２２３」を取得する。
【００７５】
次に、解答関連情報蓄積部１３４は、取得したユーザ識別子「１１２２３」に対応付けて、構成した解答関連情報を、解答関連情報格納部１３３に蓄積する。つまり、ここでは、解答関連情報蓄積部１３４は、解答識別子「１２３４５６７８」、解答情報「（１２０，４８４）（１２１，４８５）・・・・」、ユーザ識別子「１１２２３」を用いて、解答関連情報（表のレコード）を構成し、図７の解答関連情報管理表に蓄積する。そして、解答関連情報蓄積部１３４は、図８に示す解答関連情報管理表を得る。
【００７６】
次に、例えば、解答情報処理装置１３のユーザは、受講生「山田太郎」の答案用紙を印刷する印刷指示を、解答情報処理装置１３に入力した、とする。そして、指示受付部１３５は、受講生「山田太郎」の答案用紙の印刷指示を受け付ける。なお、答案用紙を印刷する対象の媒体１４を図９に示す。図９において、予め、印刷対象の媒体１４には、解答識別子記入欄が印刷されている。解答識別子記入欄は、印刷される解答識別子とは重ならない位置に印刷されている。また、ここでは、印刷対象の媒体１４には、問題情報（問１から問３）も印刷されている。
【００７７】
次に、印刷部１３６は、受け付けた印刷指示に対応する解答情報を、図８の解答関連情報管理表から読み出す。読み出す解答情報は、図８の解答関連情報管理表の「ＩＤ＝２２」の解答情報である。また、印刷部１３６は、受け付けた印刷指示に対応する解答識別子を、図８の解答関連情報管理表から読み出す。読み出す解答情報は、図８の解答関連情報管理表の「ＩＤ＝２２」の解答識別子「１２３４５６７８」である。
【００７８】
次に、印刷部１３６は、読み出した解答情報「（１２０，４８４）（１２１，４８５）・・・・」と解答識別子「１２３４５６７８」を、それぞれ、所定の領域に印刷する。解答情報は、「（１２０，４８４）（１２１，４８５）・・・・」が示す位置に印刷される。また、解答識別子「１２３４５６７８」は、例えば、予め決められた点（４２０，３５）を左上の点として、印刷される。そして、解答情報処理装置１３は、図１０に示す媒体１４を得る。かかる場合、例えば、印刷部１３６は、解答情報を、他の文字等を異なる色で印刷することは好適である。また、印刷部１３６は、予めの印刷枚数（ユーザが指定した数でも良い。）を保持しており、当該印刷枚数分だけ、同一の答案用紙（媒体）を印刷することは好適である。さらに、印刷部１３６は、印刷指示中に受講生を特定する情報（例えば、ユーザ識別子、解答識別子、氏名など）が存在しない場合、すべての解答識別子に対応する答案用紙（媒体）を、一挙に、印刷することは好適である。
【００７９】
以上、本実施の形態によれば、解答が記載された答案用紙の解答者の解答識別子を解答情報処理装置で自動的に付与し、答案用紙に印刷するので、当該答案用紙を採点する採点者にとって、答案用紙の解答者が特定できないために、心情に左右されない公平で適切な採点が可能であり、かつ、解答情報処理装置は、解答情報が示す解答が、誰の解答であるかを認識できる。また、解答者（受講生など）に受講番号や受験番号などの番号を記載させないので、大規模なテスト等において頻発する、受講番号や受験番号などの番号間違いに対応できる。さらに、多数の受講生に対して同一のドットパターンの媒体を利用できるので、ドットパターンを節約できる。
【００８０】
なお、本実施の形態によれば、受講生は電子ペンを用いて、媒体に解答を記入した。しかし、受講生は、例えば、いわゆるパソコンを用いて、解答を入力しても良い。かかる場合のパソコンの入力画面の例を図１１に示す。受講生は、「ユーザ識別子」欄に、自分のユーザ識別子を入力し、問１から問３に対する解答を入力し、「送信」ボタンを押下する。すると、例えば、ユーザ識別子と解答情報（この場合は、問のＩＤと、解答のキャラクターコード列）が、解答情報処理装置１３に送信される。解答情報処理装置１３に解答情報等が送信された後の解答情報処理装置１３の動作は、上述した動作と同様である。キャラクターコード列は、受講生が入力した解答の文字列である。ユーザ識別子は、例えば、受講生の受講番号などである。
【００８１】
また、本実施の形態において、解答関連情報蓄積する装置と、答案用紙を印刷する装置が別の装置でも良い。
【００８２】
また、本実施の形態において、解答情報処理装置１３は、電子ペン１１から直接的にペン記載情報を受信したり、記憶媒体を経由してペン記載情報を受け付けたりしても良い。
【００８３】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報処理装置を実現するソフトウェアは、以下のようなプログラムである。つまり、このプログラムは、コンピュータを、解答者の解答を示す情報である解答情報を１以上受け付ける解答情報受付部と、前記解答情報受付部が受け付けた解答情報であり、一の解答者の解答情報に対応して、当該解答情報を識別する解答識別子を生成する解答識別子生成部と、前記解答識別子生成部が生成した解答識別子と前記解答情報受付部が受け付けた解答情報とを対応づけて、記憶媒体に蓄積する解答関連情報蓄積部と、記憶媒体に格納されている解答情報と解答識別子、および解答識別子を電子ペンで記入する欄である解答識別子記入欄を、一の解答者ごとに、媒体に印刷する、または、解答識別子記入欄が印刷された媒体に、前記記憶媒体に格納されている解答情報と解答識別子を、一の解答者ごとに、印刷する印刷部として機能させるためのプログラム、である。
【００８４】
また、上記プログラムにおいて、前記印刷部は、一の解答者の解答情報に対して、２以上の媒体のそれぞれに、一の解答者の、前記解答関連情報格納部に格納されている解答関連情報と解答識別子と、および解答識別子を電子ペンで記入する欄である解答識別子記入欄を媒体に印刷する、または一の解答者の解答情報に対して、２以上の媒体のそれぞれに、解答識別子記入欄が印刷された媒体に、一の解答者の、前記解答関連情報格納部に格納されている解答情報と解答識別子を、一の解答者ごとに、印刷するように、コンピュータを機能させることは好適である。
（実施の形態２）
【００８５】
本実施の形態において、１以上の採点者の採点情報を受信し、解答情報と関連付けて管理する採点情報処理装置について説明する。また、本実施の形態において、一の解答情報に対する２以上の採点者の採点情報を合成し、出力する採点情報処理装置について説明する。また、本実施の形態において、２以上の採点者の採点情報を合成する際に、２以上の採点情報が重ならないように、位置を調整して出力する採点情報処理装置について説明する。また、本実施の形態において、２以上の採点者の採点情報のうち、一の優れていると判断される採点情報を選択して採用し、当該採用した採点情報を合成して出力する採点情報処理装置について説明する。さらに、本実施の形態において、複数の採点者の採点結果の一致／不一致をチェックし、不一致の場合に、不一致である旨を出力する採点情報処理装置について説明する。
【００８６】
図１２は、本実施の形態における情報処理システム２のブロック図である。情報処理システム２は、電子ペン１１、端末装置１２、媒体１４、採点情報処理装置２３を具備する。
【００８７】
採点情報処理装置２３は、解答情報受付部１３１、解答識別子生成部１３２、解答関連情報格納部１３３、解答関連情報蓄積部１３４、指示受付部１３５、印刷部１３６、採点者情報受信部２３１、採点情報蓄積部２３２、採点結果印刷部２３３、採点結果判断部２３４、不適切採点情報出力部２３５を具備する。
【００８８】
採点者情報受信部２３１は、１以上の電子ペン１１から、直接的、または、間接的に（端末装置１２を経由して）解答識別子と採点情報を有する採点者情報を、１以上受信する。解答識別子とは、媒体１４（答案用紙）における解答識別子記入欄に記入された解答識別子である。また、採点情報とは、採点に関する情報である。採点情報は、媒体１４に印刷された解答情報に対する採点情報である。採点情報は、通常、媒体上の位置を示す位置情報を有している。採点情報は、通常、座標情報（ｘ，ｙ）の集合である。採点情報は、例えば、正解を示す「○」、不正解を示す「×」、部分点を付与することを示す「△」、採点者のコメント、点数、図柄、絵などの情報である。採点者情報受信部２３１は、一の解答識別子に対して、２以上の電子ペン１１から、同一の解答識別子と、異なる採点情報を受信しても良い。かかる場合、２以上の採点者が、同一の答案用紙の採点を行っていることを示す。「１以上」とは、採点者の数だけ、採点者情報を受信することを示す。また、２以上の採点者が、同一の答案用紙の採点を行う場合、２以上の採点者が、採点を行う対象の問題を分担して、採点者が全員で、一の答案用紙に対する採点を行っても良いし、すべての採点者がすべての問題に対する採点を行っても良い。また、採点者の各々が行う採点対象の問題について、一部が重なっていても良い。つまり、採点の分担方法は問わない。採点者情報受信部２３１は、端末装置１２経由で、採点情報を受信しても良いし、電子ペン１１から直接に、採点情報を受信しても良い。採点者情報受信部２３１は、通常、無線または有線の通信手段で実現されるが、放送を受信する手段で実現されても良い。
【００８９】
採点情報蓄積部２３２は、採点者情報受信部２３１が受信した採点者情報が有する採点情報を、当該採点者情報が有する解答識別子と対にして、解答関連情報格納部１３３に蓄積する。なお、採点情報蓄積部２３２は、例えば、解答関連情報格納部１３３に格納されている解答識別子と一致する解答識別子と対になるレコードに、採点者情報受信部２３１が受信した採点者情報が有する採点情報を追記する。採点情報蓄積部２３２は、通常、ＭＰＵやメモリ等から実現され得る。採点情報蓄積部２３２の処理手順は、通常、ソフトウェアで実現され、当該ソフトウェアはＲＯＭ等の記録媒体に記録されている。但し、ハードウェア（専用回路）で実現しても良い。
【００９０】
採点結果印刷部２３３は、一の解答識別子に対して、当該一の解答識別子に対応する解答情報と、１以上の電子ペン１１から受信した１以上の採点情報を、媒体１４に印刷する。印刷された媒体１４は、採点が終了している媒体１４である。
【００９１】
また、採点結果印刷部２３３は、２以上の電子ペン１１から受信した２以上の採点情報が、互いに重ならないように、当該２以上の採点情報を媒体に印刷する、ことは好適である。また、２以上の採点情報が、媒体１４上で重ならないように出力するアルゴリズムは種々、考えられるが、いずれのアルゴリズムでも良いことはいうまでもない。
【００９２】
また、採点結果印刷部２３３は、２以上の電子ペン１１から受信した２以上の採点情報のうち、データ量が最も多い採点者情報を一つ選択し、当該選択した採点情報を媒体に印刷することは好適である。かかる処理により、優れていると考えられる採点情報を採用し、優れた採点結果を受講生に提示できる。また、添削やテストの講評、コメントにおいて、文が長いほど、指導の熱心さが受講生に伝わり、受講生の学習意欲を向上させる。
【００９３】
さらに、採点結果印刷部２３３は、２以上の電子ペン１１から受信した２以上の採点情報のうち、問題ごとに、データ量が最も多い採点情報を一つ選択し、当該選択した採点情報を、問題ごとに媒体に印刷することは好適である。問題ごとに、すぐれた採点情報を採用して、採点結果を受講生に提示できるので、複数人の採点者における、良い採点結果のみを採用した、答案用紙全体の採点結果を得ることができる。したがって、教育の効果が絶大となる。
【００９４】
採点結果印刷部２３３は、通常、ＭＰＵやメモリ等から実現され得る。採点結果印刷部２３３の処理手順は、通常、ソフトウェアで実現され、当該ソフトウェアはＲＯＭ等の記録媒体に記録されている。但し、採点結果印刷部２３３は、プリンタやプリンタドライバ等により実現されても良い。
【００９５】
採点結果判断部２３４は、同一の解答識別子と対になる２以上の採点情報を比較し、すべての採点情報が示す採点結果が同一か否かを判断する。ここでの採点結果とは、正解「○」、不正解「×」のうちのいずれかの判断、または、正解「○」、不正解「×」、部分点「△」の３種類のうちのいずれかの判断、または、得点である。採点結果判断部２３４は、例えば、問題ごとに、座標情報である採点情報を文字認識し、正解「○」か不正解「×」かを判断する。そして、採点結果判断部２３４は、問題ごとに、同一の解答識別子と対になる２以上の採点情報に対応する２以上の採点結果がすべて同一か否かを判断する。
【００９６】
採点結果判断部２３４は、通常、ＭＰＵやメモリ等から実現され得る。採点結果判断部２３４の処理手順は、通常、ソフトウェアで実現され、当該ソフトウェアはＲＯＭ等の記録媒体に記録されている。但し、ハードウェア（専用回路）で実現しても良い。
【００９７】
不適切採点情報出力部２３５は、採点結果判断部２３４が、すべての採点情報が示す採点結果が同一ではない、と判断した場合、すべての採点結果が同一ではない旨を示す情報である不適切採点情報を出力する。不適切採点情報は、例えば、「複数の採点者の採点結果が合いません。見直してください。」などのメッセージであったり、出力するブザー音などであったり、３人以上の採点者が存在する場合、一人だけ、他の人と異なる採点をした採点者の識別情報などである。
【００９８】
ここで、出力とは、ディスプレイへの表示、プロジェクターを用いた投影、プリンタへの印字、音出力、外部の装置への送信、記録媒体への蓄積、他の処理装置や他のプログラム等への処理結果の引渡し等を含む概念である。不適切採点情報出力部２３５は、ディスプレイやスピーカー等の出力デバイスを含むと考えても含まないと考えても良い。不適切採点情報出力部２３５は、出力デバイスのドライバーソフトまたは、出力デバイスのドライバーソフトと出力デバイス等で実現され得る。
【００９９】
次に、採点情報処理装置２３の動作について、図１３のフローチャートを用いて説明する。図１３のフローチャートにおいて、実施の形態１で説明していない処理のみを説明する。つまり、以下、採点者情報の蓄積処理と、採点結果の印刷処理と、採点結果判断処理について説明する。
【０１００】
（ステップＳ１３０１）採点者情報受信部２３１は、採点者情報を受信したか否かを判断する。採点者情報を受信すればステップＳ１３０２に行き、採点者情報を受信しなければステップＳ１３０３に行く。
【０１０１】
（ステップＳ１３０２）採点情報蓄積部２３２は、ステップＳ１３０１で受信した採点者情報が有する採点情報を、当該採点者情報が有する解答識別子と対にして、解答関連情報格納部１３３に蓄積する。ステップＳ１３０１に戻る。なお、採点情報蓄積部２３２は、通常、採点者情報を文字認識処理し、解答識別子を得る。
【０１０２】
（ステップＳ１３０３）指示受付部１３５は、採点結果の印刷指示を受け付けたか否かを判断する。印刷指示を受け付ければステップＳ１３０４に行き、印刷指示を受け付けなければステップＳ１３０５に行く。
【０１０３】
（ステップＳ１３０４）採点結果印刷部２３３は、採点結果の印刷指示に対応する採点結果を印刷する。採点結果の印刷処理について、図１４のフローチャートを用いて説明する。ステップＳ１３０１に戻る。
【０１０４】
（ステップＳ１３０５）指示受付部１３５は、採点結果の判断指示を受け付けたか否かを判断する。判断指示を受け付ければステップＳ１３０６に行き、判断指示を受け付けなければステップＳ１３０１に戻る。
【０１０５】
（ステップＳ１３０６）採点結果判断部２３４は、採点結果判断処理を行う。採点結果判断処理について、図１６のフローチャートを用いて説明する。ステップＳ１３０１に戻る。
【０１０６】
なお、図１３のフローチャートにおいて、電源オフや処理終了の割り込みにより処理は終了する。
【０１０７】
次に、ステップＳ１３０４の採点結果印刷処理について、図１４のフローチャートを用いて説明する。
【０１０８】
（ステップＳ１４０１）採点結果印刷部２３３は、指示受付部１３５が受け付けた印刷指示に対応する解答識別子等を、解答関連情報格納部１３３から読み出す。解答識別子等とは、解答識別子を含み、それ以外に、ユーザ識別子や氏名などを含んでも良い趣旨である。なお、印刷指示は、通常、解答識別子、ユーザ識別子、または氏名等の印刷対象の答案用紙（採点結果）を特定する情報を含む。また、印刷指示が、印刷対象の答案用紙（採点結果）を特定する情報を含まない場合、通常、採点結果印刷部２３３は、すべての受講生の答案用紙を印刷する。つまり、採点結果印刷部２３３は、後述する処理を、受講生の数だけ繰り返す。
【０１０９】
（ステップＳ１４０２）採点結果印刷部２３３は、ステップＳ１４０１で取得した解答識別子に対応する解答情報を、解答関連情報格納部１３３から読み出す。
【０１１０】
（ステップＳ１４０３）採点結果印刷部２３３は、ステップＳ１４０１で取得した解答識別子に対応する採点情報等をすべて読み出す。なお、採点情報等とは、例えば、採点情報と、採点を行った採点者を識別するペン識別子（採点者ペン識別子）である。
【０１１１】
（ステップＳ１４０４）採点結果印刷部２３３は、ステップＳ１４０３で読み出した採点情報等を用いて、採点者が一人か否かを判断する。なお、採点結果印刷部２３３は、ステップＳ１４０３で読み出した採点情報等に含まれる採点者ペン識別子が複数、存在する場合、採点者が複数であると、判断する。また、採点結果印刷部２３３は、ステップＳ１４０３で読み出した採点情報から、同一の問題について、複数の採点情報が存在する場合に、採点者が複数であると、判断する、とする。同一の問題について、複数の採点情報が存在するか否かは、同一の座標領域（同一の採点者の記載領域）に複数の採点情報が存在するか否かにより、判断する。採点者が一人であればステップＳ１４０５に行き、採点者が一人でなければステップＳ１４０６に行く。なお、異なる電子ペン１１から送信された採点情報は、区別されて蓄積される。かかる蓄積方法は公知技術であり、受信時刻や、受信したデータ構造等から区別され得る。
【０１１２】
（ステップＳ１４０５）採点結果印刷部２３３は、ステップＳ１４０１で取得した解答識別子等、およびステップＳ１４０２で取得した解答情報、およびステップＳ１４０３で取得した採点情報を、媒体１４に印刷する。媒体１４には、予め解答識別子記入欄が印刷されている、とする。なお、媒体１４に、予め解答識別子記入欄が印刷されていない場合、採点結果印刷部２３３は、解答識別子記入欄も、予め決められた位置に印刷する。なお、予め決められた位置は、ステップＳ１４０１で取得した解答識別子を印刷する領域に隣接する位置が好適である。また、採点結果印刷部２３３は、ステップＳ１４０１で取得した解答識別子等を印刷する媒体１４における位置（座標）は、予め知っている（位置の情報を保持している）、とする。また、採点結果印刷部２３３は、解答情報と採点情報について、それぞれの情報が有する座標情報が示す位置に印刷する。媒体１４には、問題情報が、予め印刷されていても良いし、採点結果印刷部２３３が、図示しない記憶媒体に格納されている問題情報を、予め決められた媒体１４上の位置に印刷しても良い。
【０１１３】
（ステップＳ１４０６）採点結果印刷部２３３は、カウンタｉに１を代入する。
【０１１４】
（ステップＳ１４０７）採点結果印刷部２３３は、実施されたテスト等に、ｉ番目の問題が存在するか否かを判断する。ｉ番目の問題が存在すればステップＳ１４０８に行き、ｉ番目の問題が存在しなければステップＳ１４１４に行く。
【０１１５】
（ステップＳ１４０８）採点結果印刷部２３３は、ステップＳ１４０３で取得した採点情報等から、ｉ番目の問題に対するすべての採点情報を取得する。
【０１１６】
（ステップＳ１４０９）採点結果印刷部２３３は、ステップＳ１４０８で取得した採点情報は、複数存在するか否かを判断する。複数存在すればステップＳ１４１０に行き、複数存在しなければステップＳ１４１２に行く。なお、採点情報が複数存在するか否かは、例えば、採点情報と対になる採点者ペン識別子が複数存在するか否かにより判断する。また、異なる採点者が記入した採点情報は、解答関連情報格納部１３３の異なる記憶領域（レコード）で管理されており、採点結果印刷部２３３は、複数存在するか否かが判断できる、とする。
【０１１７】
（ステップＳ１４１０）採点結果印刷部２３３は、ステップＳ１４０８で取得したすべての採点情報の各々について、そのデータ量を算出する。データ量の算出処理は公知技術であるので、詳細な説明を省略する。
【０１１８】
（ステップＳ１４１１）採点結果印刷部２３３は、ステップＳ１４１０で算出した複数のデータ量のうち、最大のデータ量の採点情報をバッファに追記する。ステップＳ１４１３に行く。
【０１１９】
（ステップＳ１４１２）採点結果印刷部２３３は、ステップＳ１４０８で取得した一つの採点情報をバッファに追記する。
【０１２０】
（ステップＳ１４１３）採点結果印刷部２３３は、カウンタｉを１、インクリメントする。ステップＳ１４０７に戻る。
【０１２１】
（ステップＳ１４１４）採点結果印刷部２３３は、複数の問題に対応する採点情報について、重なりを防止する処理を行う。ステップＳ１４０５に戻る。重なり防止処理の具体例について、図１５のフローチャートを用いて説明する。
【０１２２】
次に、重なり防止処理の具体例について、図１５のフローチャートを用いて説明する。
【０１２３】
（ステップＳ１５０１）採点結果印刷部２３３は、カウンタｉに１を代入する。
【０１２４】
（ステップＳ１５０２）採点結果印刷部２３３は、ｉ番目の問題が存在するか否かを判断する。なお、テスト等の問題数について、採点結果印刷部２３３は、予め保持している、とする。
【０１２５】
（ステップＳ１５０３）採点結果印刷部２３３は、ｉ番目の問題に対応する採点情報の記載領域を取得する。採点情報の記載領域とは、採点者が電子ペン１１で採点情報を記載する領域であり、例えば、矩形を示す情報「（ｘ１，ｙ１）（ｘ２，ｙ２）」である。矩形を示す情報のうち、（ｘ１，ｙ１）は左上の点の座標、（ｘ２，ｙ２）は右下の点の座標である。矩形を示す情報は「（ｘ１，ｙ１）（ｈ，ｗ）」などの他の表記でも良いことは言うまでもない。
【０１２６】
（ステップＳ１５０４）採点結果印刷部２３３は、ｉ番目の問題に対応する採点情報を取得する。
【０１２７】
（ステップＳ１５０５）採点結果印刷部２３３は、ステップＳ１５０４で取得したｉ番目の問題に対応する採点情報が示す位置（座標情報）と、ステップＳ１５０３で取得した採点情報の記載領域の情報とから、ｉ番目の問題に対応する採点情報が、ｉ番目の問題に対応する採点情報の記載領域内に存在するか否かを判断する。採点情報が示す位置（座標情報）が矩形内に存在するか否かを判断する処理は公知技術である。ｉ番目の問題に対応する採点情報が、ｉ番目の記載領域内に存在すればステップＳ１５０６に行き、存在しなければステップＳ１５０７に行く。
【０１２８】
（ステップＳ１５０６）採点結果印刷部２３３は、カウンタｉを１、インクリメントする。ステップＳ１５０２に戻る。
【０１２９】
（ステップＳ１５０７）採点結果印刷部２３３は、（ｉ−１）番目の採点情報と、（ｉ＋１）番目の採点情報を取得する。なお、ｉによっては、（ｉ−１）番目の採点情報のみ、または（ｉ＋１）番目の採点情報のみを取得する。
【０１３０】
（ステップＳ１５０８）採点結果印刷部２３３は、ステップＳ１５０７で取得した採点情報と、ｉ番目の採点情報に重なりがあるが否かを判断する。重なりがある場合はステップＳ１５０９に行き、重なりがない場合はステップＳ１５０６に戻る。
【０１３１】
（ステップＳ１５０９）採点結果印刷部２３３は、３つ、または２つの採点情報が重ならないように、３つまたは２つの記載領域内で、３つ、または２つの採点情報を平行移動する。ステップＳ１５０６に戻る。なお、平行移動の方向は、上下左右、ななめなども含め、いかなる方向でも良い。
【０１３２】
なお、図１５のフローチャートにおいて、ステップＳ１５０９の処理を行った後にでも重なりが生じる場合は、上記処理を再帰的に行い、極力、重なりが生じないようにすることは好適である。
【０１３３】
次に、ステップＳ１３０６の採点結果判断処理について、図１６のフローチャートを用いて説明する。図１６のフローチャートにおいて、図１４のフローチャートと同様の処理については説明を省略する。なお、図１６のフローチャートにおいて、図１４のフローチャートと同様の処理における主体は、採点結果判断部２３４である。
【０１３４】
（ステップＳ１６０１）採点結果判断部２３４は、全採点情報を文字コード（文字コード列）に変換する。
【０１３５】
（ステップＳ１６０２）採点結果判断部２３４は、ステップＳ１６０１で変換した文字コード（文字コード列）のすべてが同一か否かを判断する。ここで比較する文字コードは、「○」「×」「△」などの採点の結果のみであり、添削等のコメントなどは除く。
【０１３６】
（ステップＳ１６０３）採点結果判断部２３４は、カウンタｉを１、インクリメントする。ステップＳ１４０７に戻る。
【０１３７】
（ステップＳ１６０４）採点結果判断部２３４は、他と異なる採点者の採点者ペン識別子を取得する。
【０１３８】
（ステップＳ１６０５）採点結果判断部２３４は、問題番号のｉと、ステップＳ１６０４で取得した採点者ペン識別子を対にして、バッファに追記する。ステップＳ１６０３に行く。
【０１３９】
（ステップＳ１６０６）採点結果判断部２３４は、バッファ（問題番号のｉと採点者ペン識別子の対の情報）に情報が存在するか否かを判断する。情報が存在すればステップＳ１６０７に行き、情報が存在しなければ上位処理にリターンする。
【０１４０】
（ステップＳ１６０７）不適切採点情報出力部２３５は、不適切採点情報を出力する。不適切採点情報は、例えば、すべての採点結果が同一ではない旨を示す文字列（例えば、「不適切な採点結果はあります」）や、問題番号のｉと採点者ペン識別子や採点者ＩＤや採点者名などの情報である。採点者ＩＤや採点者名は、例えば、不適切採点情報出力部が採点者ペン識別子と対にして保持している。
【０１４１】
以下、本実施の形態における情報処理システム２の、４つの具体的な動作について説明する。また、４つの具体例において、採点の対象の答案用紙は、図１０の答案用紙である。採点者は、自分で（自宅で）、この答案用紙を印刷しても良い。つまり、採点者は、採点情報処理装置２３から、図示しない採点者の情報処理装置（パソコン等）を用いて、解答関連情報をダウンロードして、媒体１４に印刷しても良い。また、答案用紙が、採点者に郵送されて、届けられても良い。
【０１４２】
今、解答関連情報格納部１３３は、図８に示す解答関連情報管理表を格納している、とする。また、採点結果印刷部２３３は、図１７に示す採点者記載領域管理表を保持している。採点者記載領域管理表は、採点者記載領域情報を有する。採点者記載領域情報とは、採点者が電子ペン１１で文字や採点などを記載する領域を示す情報である。採点者記載領域情報は、ここでは、解答識別子（採点者用）が記載される領域、問１に対する採点情報が記載される領域、問２に対する採点情報が記載される領域、問３に対する採点情報が記載される領域を示す。各領域は、その領域の左上点、右下点の座標により、明示される。
（具体例１）
【０１４３】
具体例１は、一人の採点者が、１枚の答案用紙（媒体１４）に対して、電子ペン１１を用いて、採点を行う場合である。まず、採点者Ａは、ペン識別子「６６７７８」の電子ペン１１を保持しており、採点を開始する、とする。このペン識別子「６６７７８」を採点者ペン識別子という。
【０１４４】
まず、採点者Ａは、答案用紙（図１０）の「解答識別子（採点者用）」の領域に、その隣接する上部の領域に印刷されている解答識別子「１２３４５６７８」を、電子ペン１１を用いて、記載する（図１８の１８１を参照）。
【０１４５】
また、採点者Ａは、問１から問３における受講生の解答を見て、正解（○）または、不正解（×）、部分点（△）等を記載し、必要に応じて、コメントを記載する。コメントは、図１９の１９１である。
【０１４６】
次に、採点者Ａの電子ペン１１に対する指示、または、自動的に、図２０に示す採点者情報が、電子ペン１１から端末装置１２に送信される。採点者情報は、ここでは、ペン識別子と座標情報を有する。座標情報は、電子ペン１１の、媒体１４上での軌跡を示す座標の集合である。座標情報は、解答識別子と採点情報を有する。この段階では、解答識別子も採点情報も座標の集合で示される。
【０１４７】
そして、端末装置１２は、図２０に示す採点者情報を受信し、採点情報処理装置２３に転送する。
【０１４８】
次に、採点情報処理装置２３の採点者情報受信部２３１は、図２０に示す採点者情報を受信する。そして、採点情報蓄積部２３２は、図２０に示す採点者情報を、解答関連情報格納部１３３に蓄積する。
【０１４９】
次に、ユーザは、ユーザ識別子「１１２２３」で識別される受講生の採点結果の印刷指示を入力した、とする。すると、指示受付部１３５は、当該採点結果の印刷指示を受け付ける。
【０１５０】
次に、採点結果印刷部２３３は、指示受付部１３５が受け付けた印刷指示（ユーザ識別子「１１２２３」）に対応する解答識別子「１２３４５６７８」、解答情報などを、図８の解答関連情報管理表から読み出す。次に、採点結果印刷部２３３は、取得した解答識別子に対応する解答情報を、解答関連情報格納部１３３から読み出す。
【０１５１】
次に、採点結果印刷部２３３は、取得した解答識別子「１２３４５６７８」に対応する採点情報等を読み出す。つまり、採点結果印刷部２３３は、図１７の解答識別子（採点者用）領域「（２８５，１０５）（６９０，１８５）」を取得し、かかる領域の座標情報を、図２０の座標情報から取得する。そして、採点結果印刷部２３３は、座標情報「（３１８，１０８）（３１７，１０９）・・・（６８５，１３１）」を得る。そして、かかる座標情報を文字認識し、「１２３４５６７８」を得る。次に、採点結果印刷部２３３は、指示受付部１３５が受け付けた印刷指示（ユーザ識別子「１１２２３」）に対応する解答識別子「１２３４５６７８」と文字認識して得た「１２３４５６７８」が一致することを検出する。そして、採点結果印刷部２３３は、図２０の他の座標情報「（４６５，５４０）・・・（４９９，１３５１）」を採点情報として、取得する。
【０１５２】
次に、採点結果印刷部２３３は、取得した解答識別子、解答情報、および採点情報を、媒体１４に印刷する。媒体には、予め、問題情報は印刷されている、とする。そして、ユーザ識別子「１１２２３」で識別される受講生の採点結果の印刷指示を入力したユーザは、採点結果を示す媒体１４（図１９参照）を得る。なお、図１９において、解答識別子（採点者用も含む）の代わりに、受講生の氏名や受講生ＩＤなどを印刷しても良いことは言うまでもない。
（具体例２）
【０１５３】
具体例２は、複数（ここでは、３人）の採点者が、同一の受講生の答案用紙（媒体１４）に対して、各自の電子ペン１１を用いて、それぞれの採点者が異なる問題に対する採点を行い、最終的に、採点情報を合成する場合である。
【０１５４】
まず、採点者Ａ、Ｂ、Ｃは、それぞれ採点者ペン識別子「６６７７８」「７７８８９」「８８９９０」の電子ペン１１を保持している。そして、採点者Ａ、Ｂ、Ｃは、それぞれ、「解答識別子（採点者用）」の領域に、その隣接する上部の領域に印刷されている解答識別子「１２３４５６７８」を、各自の電子ペン１１を用いて、記載する。次に、採点者Ａは問１の採点、採点者Ｂは問２の採点、採点者Ｃは問３の採点を行う、とする。そして、採点者Ａ、Ｂ、Ｃは、それぞれ、図２１に示す採点を行った、とする。
【０１５５】
そして、上述した処理と同様の処理により、採点者情報受信部２３１は、ぞれぞれ、採点者ペン識別子「６６７７８」「７７８８９」「８８９９０」により識別される電子ペン１１から、端末装置１２を経由して、図２２に示す採点情報を受信する。３名の採点者の電子ペン１１により送信された図２２に示す採点情報の構造は、図２０の採点情報の構造と同様である。そして、採点情報蓄積部２３２は、図２２の採点者情報が有する採点情報を、当該採点者情報が有する解答識別子と対にして、解答関連情報格納部１３３に蓄積する。つまり、採点情報蓄積部２３２は、例えば、以下のような処理を行う。採点情報蓄積部２３２は、図１７の解答識別子（採点者用）領域「（２８５，１０５）（６９０，１８５）」を取得し、かかる領域の座標情報を、ぞれぞれの採点者ペン識別子ごとに、図２２の座標情報から取得する。そして、採点情報蓄積部２３２は、ぞれぞれの採点者ペン識別子ごとに、取得した座標情報を文字認識処理し、解答識別子「１２３４５６７８」を取得する。そして、採点情報蓄積部２３２は、解答識別子「１２３４５６７８」と対応付けて、図２２の採点情報を、解答関連情報格納部１３３に蓄積する。
【０１５６】
次に、ユーザは、ユーザ識別子「１１２２３」で識別される受講生の採点結果の印刷指示を入力した、とする。すると、指示受付部１３５は、当該採点結果の印刷指示を受け付ける。
【０１５７】
次に、採点結果印刷部２３３は、指示受付部１３５が受け付けた印刷指示（ユーザ識別子「１１２２３」）に対応する解答識別子「１２３４５６７８」、解答情報などを、図８の解答関連情報管理表から読み出す。次に、採点結果印刷部２３３は、取得した解答識別子に対応する解答情報を、解答関連情報格納部１３３から読み出す。
【０１５８】
次に、採点結果印刷部２３３は、取得した解答識別子「１２３４５６７８」に対応する採点情報等を読み出す。つまり、採点結果印刷部２３３は、解答識別子「１２３４５６７８」に対応付けられている図２２の３つの座標情報を取得する。採点結果印刷部２３３は、３つの各々の座標情報から、解答識別子（採点者用）領域「（２８５，１０５）（６９０，１８５）」の座標を除いた座標情報を取得し、メモリ上に配置する。
【０１５９】
次に、採点結果印刷部２３３は、１番目の問題に対する領域（問い領域）の情報「（０，３００）（７００，６００）」を、図１７の採点者記載領域管理表から読み出す。そして、採点結果印刷部２３３は、メモリ上に配置した座標情報から、領域情報「（０，３００）（７００，６００）」に対応する座標情報であり、まとまった座標情報を取得する。ここでは、採点者ペン識別子「６６７７８」に対応する座標情報であり、解答識別子（採点者用）領域の座標を除いた座標情報を取得する。
【０１６０】
次に、採点結果印刷部２３３は、２番目の問題に対する領域（問い領域）の情報「（０，７００）（７００，１０００）」を、図１７の採点者記載領域管理表から読み出す。そして、採点結果印刷部２３３は、メモリ上に配置した座標情報から、領域情報「（０，７００）（７００，１０００）」に対応する座標情報であり、まとまった座標情報を取得する。ここでは、採点者ペン識別子「７７８８９」に対応する座標情報であり、解答識別子（採点者用）領域の座標を除いた座標情報を取得する。
【０１６１】
次に、採点結果印刷部２３３は、３番目の問題に対する領域（問い領域）の情報「（０，１１５０）（７００，１４００）」を、図１７の採点者記載領域管理表から読み出す。そして、採点結果印刷部２３３は、メモリ上に配置した座標情報から、領域情報「（０，１１５０）（７００，１４００）」に対応する座標情報であり、まとまった座標情報を取得する。ここでは、採点者ペン識別子「８８９９０」に対応する座標情報であり、解答識別子（採点者用）領域の座標を除いた座標情報を取得する。なお、「まとまった座標情報」は、非特許文献１の電子ペンを用いた場合に取得できる、ストロークや時刻の情報から、取得され得る。かかる技術は公知技術であるので詳細な説明を省略する。
【０１６２】
次に、採点結果印刷部２３３は、以下のように重なり防止処理を行う。つまり、採点結果印刷部２３３は、問２の採点情報が、２番目の問題に対する領域（問い領域）の情報「（０，７００）（７００，１０００）」の領域をはみ出していることを検知する。また、採点結果印刷部２３３は、問２の採点情報と問３の採点情報が重なることを検知する。例えば、問２の採点情報と問３の採点情報は、同一の座標（６９５，１１６０）を含むことにより、採点結果印刷部２３３は、問２の採点情報と問３の採点情報が重なることを検知する。なお、２つの採点情報が同一の座標（点）を含まない場合でも、２つの採点情報が記載されている２つの閉図形を構成し、２つの閉図形に重なることを検知するなど、他のアルゴリズムによる重なりの検知でも良い。
【０１６３】
次に、採点結果印刷部２３３は、問２、問３の２つの採点情報が重ならないように、問２、問３の記載領域内で、問３の採点情報を、下に平行移動する。平行移動する場合、問２、問３の２つの採点情報を、予め決められた間隔分空けるように、平行移動することは好適である。
【０１６４】
次に、採点結果印刷部２３３は、取得した解答識別子、解答情報、および採点情報を、媒体１４に印刷する。媒体には、予め、問題情報は印刷されている、とする。そして、ユーザ識別子「１１２２３」で識別される受講生の採点結果の印刷指示を入力したユーザは、図２３に示す採点結果を示す媒体１４を得る。なお、図２３において、解答識別子（採点者用も含む）の代わりに、受講生の氏名や受講生ＩＤなどを印刷しても良いことは言うまでもない。
（具体例３）
【０１６５】
具体例３は、複数（ここでは、３人）の採点者が、同一の受講生の答案用紙（媒体１４）に対して、各自の電子ペン１１を用いて、同じ問題に対する採点を行い、最終的に、優れたコメントを記載した採点者の採点情報を選択し、選択された複数の採点情報を合成する場合である。ここでは、複数の採点者が、同一の受講生の答案用紙について、すべての問題に対する採点を行うとする。
【０１６６】
今、採点者Ａ、Ｂ、Ｃは、それぞれ採点者ペン識別子「６６７７８」「７７８８９」「８８９９０」の電子ペン１１を保持している。そして、採点者Ａ、Ｂ、Ｃは、それぞれ、図２４に示す採点を行った、とする。
【０１６７】
そして、具体例２で説明した処理と同様の処理により、採点者Ａ、Ｂ、Ｃの各電子ペン１１から送信された採点情報が、解答関連情報格納部１３３に蓄積される。
【０１６８】
次に、ユーザは、ユーザ識別子「１１２２３」で識別される受講生の採点結果の印刷指示を入力した、とする。すると、指示受付部１３５は、当該採点結果の印刷指示を受け付ける。
【０１６９】
次に、採点結果印刷部２３３は、指示受付部１３５が受け付けた印刷指示（ユーザ識別子「１１２２３」）に対応する解答識別子「１２３４５６７８」、解答情報などを、図８の解答関連情報管理表から読み出す。次に、採点結果印刷部２３３は、取得した解答識別子に対応する解答情報を、解答関連情報格納部１３３から読み出す。
【０１７０】
次に、採点結果印刷部２３３は、取得した解答識別子「１２３４５６７８」に対応する採点情報等を読み出す。つまり、採点結果印刷部２３３は、解答識別子「１２３４５６７８」に対応付けられている３つの座標情報を取得する。
【０１７１】
次に、採点結果印刷部２３３は、１番目の問題に対する領域（問い領域）の情報「（０，３００）（７００，６００）」を、図１７の採点者記載領域管理表から読み出す。そして、採点結果印刷部２３３は、メモリ上に配置した座標情報から、領域情報「（０，３００）（７００，６００）」に対応する座標情報であり、まとまった座標情報を取得する。ここでは、３つの採点者ペン識別子「６６７７８」の、ぞれぞれに対応する座標情報であり、問１領域の座標に対応するまとまった座標情報を取得する。つまり、採点結果印刷部２３３は、採点者Ａが記載した採点情報「○」に対応する座標情報、採点者Ｂが記載した採点情報「○  ＯＫ！」に対応する座標情報、採点者Ａが記載した採点情報「○  漢字もしっかり書かれています。」に対応する座標情報を得る。
【０１７２】
そして、採点結果印刷部２３３は、問１に対する採点情報が３つ存在することを検知し、各採点情報のデータ量を算出する。採点結果印刷部２３３は、例えば、座標情報を文字認識処理し、文字コード列に変換する。そして、採点結果印刷部２３３は、文字コード列の文字列長を得る。また、採点結果印刷部２３３は、採点情報のまま、それらのデータ量を算出しても良い。そして、採点結果印刷部２３３は、例えば、問１に対する３つの採点情報（採点者Ａ、Ｂ、Ｃの採点情報）のデータ量を、それぞれ「２ｂｙｔｅ」「１０ｂｙｔｅ」「３２ｂｙｔｅ」と算出した、とする。
【０１７３】
次に、採点結果印刷部２３３は、３つの採点情報のうち、最大のデータ量「３２ｂｙｔｅ」の採点情報（採点者Ｃの採点情報）をバッファに追記する。
【０１７４】
次に、採点結果印刷部２３３は、同様に、問２に対する採点情報が３つ存在することを検知し、各採点情報のデータ量を算出し、最もデータ量の多い、採点者Ｂの採点情報をバッファに追記する。
【０１７５】
さらに、採点結果印刷部２３３は、同様に、問３に対する採点情報が３つ存在することを検知し、各採点情報のデータ量を算出し、最もデータ量の多い、採点者Ａの採点情報をバッファに追記する。
【０１７６】
次に、採点結果印刷部２３３は、取得した解答識別子、解答情報、およびバッファ中の各問の採点情報を、媒体１４に印刷する。媒体には、予め、問題情報は印刷されている、とする。そして、ユーザ識別子「１１２２３」で識別される受講生の採点結果の印刷指示を入力したユーザは、図２５に示す採点結果を示す媒体１４を得る。
【０１７７】
なお、具体例３において、データ量を用いて、問題ごとに、優れた採点情報が選択され、出力された。しかし、採点結果印刷部２３３は、一人の採点情報のすべてのデータ量を用いて、採点者を選択し、当該採点者の採点情報を出力しても良い。また、採点結果印刷部２３３は、データ量ではなく、他の評価指標により採点情報を選択しても良い。他の評価指標とは、例えば、採点者の属性（年数、専門分野、年齢など）などである。また、図２５において、解答識別子（採点者用も含む）の代わりに、受講生の氏名や受講生ＩＤなどを印刷しても良いことは言うまでもない。
（具体例４）
【０１７８】
具体例４は、複数（ここでは、３人）の採点者が、同一の受講生の答案用紙（媒体１４）に対して、各自の電子ペン１１を用いて、同じ問題に対する採点を行い、採点情報処理装置２３が採点結果の正誤のチェックを行うである。ここでは、複数の採点者が、同一の受講生の答案用紙について、すべての問題に対する採点を行うとする。
【０１７９】
今、採点者Ａ、Ｂ、Ｃは、それぞれ採点者ペン識別子「６６７７８」「７７８８９」「８８９９０」の電子ペン１１を保持している。そして、採点者Ａ、Ｂ、Ｃは、それぞれ、図２４に示す採点を行った、とする。そして、具体例２で説明した処理と同様の処理により、採点者Ａ、Ｂ、Ｃの各電子ペン１１から送信された採点情報が、解答関連情報格納部１３３に蓄積される。
【０１８０】
次に、ユーザは、ユーザ識別子「１１２２３」で識別される受講生の採点結果の判断指示を入力した、とする。すると、指示受付部１３５は、当該採点結果の判断指示を受け付ける。そして、採点結果判断部２３４は、以下のような採点結果判断処理を行う。
【０１８１】
つまり、まず、採点結果判断部２３４は、ユーザ識別子「１１２２３」に対応する全採点情報を読み出す。
【０１８２】
そして、採点結果判断部２３４は、問１に対応する採点情報を、すべて取得する。問１に対応する採点情報が、ここでは、３つ存在する（複数存在する）ので、各採点情報を文字コード（文字コード列）に変換する。そして、採点結果判断部２３４は、各採点情報について、文字コード列から「○」「×」「△」のみを取得する。問１に対応する採点情報から取得される文字コード列において、すべて「○」であるので、採点に問題がない、と判断する。
【０１８３】
次に、採点結果判断部２３４は、同様に、問２に対応する採点情報を、すべて取得し、文字コード（文字コード列）に変換する。そして、採点結果判断部２３４は、各採点情報について、文字コード列から「○」「×」「△」のみを取得する。問２に対応する採点情報から取得される文字コード列において、「○」「△」「△」であるので、採点に問題があり、一人だけ異なる採点をしている問の番号「２」と採点者のペン識別子「６６７７８」を対にしてバッファに格納する。なお、バッファに格納されている情報は、不適切採点情報を構成しても良い。
【０１８４】
次に、採点結果判断部２３４は、問３に対応する採点情報を、すべて取得する。そして、採点結果判断部２３４は、問１に対応する採点情報と同様の処理を行い、採点に問題がない、と判断する。
【０１８５】
次に、不適切採点情報出力部２３５は、不適切採点情報（たとえば、「ペン識別子「６６７７８」の採点者が問２の採点を誤っています」）を出力する。
【０１８６】
なお、採点結果判断部２３４は、予め格納されている解答と受講生の解答情報と、採点者の採点情報を用いて、採点者の採点が正しいか否かを判断しても良い。
【０１８７】
以上、本実施の形態によれば、解答が記載された答案用紙の解答者の解答識別子を解答情報処理装置で自動的に付与し、答案用紙に印刷するので、採点者にとって、答案用紙の解答者が特定できないために、心情に左右されない公正で適切な採点が可能であり、かつ、システムにおいて、解答情報が示す解答が、誰の解答であるかを認識できる。また、解答者（受講生など）が受講番号や受験番号などの番号を記載させないので、大規模なテスト等において、必ず発生する受講番号や受験番号などの番号間違いに対応できる。
【０１８８】
また、本実施の形態によれば、一つの答案に対して、答案用紙を回覧するようなことをせずに、２以上の採点者により、採点できる。つまり、極めて短期間で採点が行える。
【０１８９】
また、本実施の形態によれば、２以上の採点者の採点情報を受信し、格納されている解答関連情報と採点情報とを紐付けできる。分担した採点が容易に実現できる。
【０１９０】
また、本実施の形態によれば、２以上の採点者の採点情報をマージし、採点結果を出力できる。かかることにより、２以上の各採点者が、異なる問題に対する解答について、それぞれ採点できる。つまり、採点の分業を可能にする。
【０１９１】
また、本実施の形態によれば、２以上の採点者の採点情報をマージし、採点結果を出力する場合に、重ならないように出力できる。受講生に答案を返す場合に、見やすい答案を返せる。また、採点者にとって、他の人のコメント等の記載量を考えずに、コメント等を記載できるため、内容のみに集中した優れた指導が行える。つまり、受講生、採点者の双方にとって、満足度の高い採点システムを提供できる。
【０１９２】
また、本実施の形態によれば、２以上の採点者の採点情報のうち、一の採点情報を選択して採用できる。したがって、優れていると推定できる採点情報を利用できる。また、問題ごとに、２以上の採点者の採点情報のうち、一の採点情報を選択して採用できる。
【０１９３】
また、本実施の形態によれば、複数の採点者の採点結果の正誤をチェックし、すべての採点者の採点結果が一致しない場合に、その旨を出力できる。
【０１９４】
なお、本実施の形態によれば、採点情報処理装置２３は、実施の形態１における解答情報処理装置１３の構成を具備した。しかし、採点情報処理装置は、解答情報処理装置１３が得た解答関連情報を利用すれば良く、解答関連情報を蓄積する機能を有する必要はない。つまり、採点情報処理装置は、解答関連情報格納部１３３、指示受付部１３５、印刷部１３６、採点者情報受信部２３１、採点情報蓄積部２３２、採点結果印刷部２３３、採点結果判断部２３４、不適切採点情報出力部２３５を具備すれば良い。
【０１９５】
さらに、本実施の形態における採点情報処理装置を実現するソフトウェアは、以下のようなプログラムである。つまり、このプログラムは、コンピュータを、１以上の電子ペンから、前記解答識別子記入欄に記入された解答識別子と、前記媒体に印刷された解答情報に対する採点に関する情報である採点情報を有する採点者情報を、１以上受信する採点者情報受信部と、前記採点者情報受信部が受信した採点者情報が有する採点情報を、当該採点者情報が有する解答識別子と対にして、記憶媒体に蓄積する採点情報蓄積部と、一の解答識別子に対して、当該一の解答識別子に対応する解答情報を記憶媒体から読み出し、当該解答情報と、前記１以上の電子ペンから受信した２以上の採点情報を、媒体に印刷する採点結果印刷部として機能させるためのプログラム、である。
【０１９６】
また、上記プログラムにおいて、前記採点者情報受信部は、一の解答識別子に対して、２以上の電子ペンから、同一の解答識別子と、異なる採点情報を受信し、一の解答識別子に対して、当該一の解答識別子に対応する解答情報と、前記２以上の電子ペンから受信した２以上の採点情報を、媒体に印刷する採点結果印刷部として、コンピュータを、さらに機能させるためのプログラムであることは好適である。
【０１９７】
また、上記プログラムにおいて、前記採点情報は、媒体上の位置を示す位置情報を有し、前記採点結果印刷部を、前記２以上の電子ペンから受信した２以上の採点情報が、互いに重ならないように、当該２以上の採点情報を媒体に印刷するように、コンピュータを、機能させるためのプログラムであることは好適である。
【０１９８】
また、上記プログラムは、前記採点結果印刷部を、前記２以上の電子ペンから受信した２以上の採点情報のうち、データ量が最も多い採点者情報を一つ選択し、当該選択した採点情報を媒体に印刷するように、コンピュータを、機能させるためのプログラムであることは好適である。
【０１９９】
また、上記プログラムは、前記採点結果印刷部を、前記２以上の電子ペンから受信した２以上の採点情報のうち、問題ごとに、データ量が最も多い採点情報を一つ選択し、当該選択した採点情報を、問題ごとに媒体に印刷するように、コンピュータを、機能させるためのプログラムであることは好適である。
【０２００】
また、上記プログラムは、前記採点者情報受信部は、２以上の電子ペンのそれぞれから、同一の解答識別子と異なる採点情報を有する採点者情報を受信し、前記同一の解答識別子と対になる２以上の採点情報を比較し、すべての採点情報が示す採点結果が同一か否かを判断する採点結果判断部と、前記採点結果判断部が、すべての採点情報が示す採点結果が同一ではない、と判断した場合、すべての採点結果が同一ではない旨を示す情報である不適切採点情報を出力する不適切採点情報出力部として、コンピュータを、さらに機能させるためのプログラムであることは好適である。
【０２０１】
また、図２６は、本明細書で述べたプログラムを実行して、上述した実施の形態の解答情報処理装置、採点情報処理装置等を実現するコンピュータの外観を示す。上述の実施の形態は、コンピュータハードウェア及びその上で実行されるコンピュータプログラムで実現され得る。図２６は、このコンピュータシステム３４０の概観図であり、図２７は、コンピュータシステム３４０のブロック図である。
【０２０２】
図２６において、コンピュータシステム３４０は、ＦＤ（Ｆｌｅｘｉｂｌｅ  Ｄｉｓｋ）ドライブ、ＣＤ−ＲＯＭ（Ｃｏｍｐａｃｔ  Ｄｉｓｋ  Ｒｅａｄ  Ｏｎｌｙ  Ｍｅｍｏｒｙ）ドライブを含むコンピュータ３４１と、キーボード３４２と、マウス３４３と、モニタ３４４とを含む。
【０２０３】
図２７において、コンピュータ３４１は、ＦＤドライブ３４１１、ＣＤ−ＲＯＭドライブ３４１２に加えて、ＣＰＵ（Ｃｅｎｔｒａｌ  Ｐｒｏｃｅｓｓｉｎｇ  Ｕｎｉｔ）３４１３と、ＣＰＵ３４１３、ＣＤ−ＲＯＭドライブ３４１２及びＦＤドライブ３４１１に接続されたバス３４１４と、ブートアッププログラム等のプログラムを記憶するためのＲＯＭ（Ｒｅａｄ−Ｏｎｌｙ  Ｍｅｍｏｒｙ）３４１５と、ＣＰＵ３４１３に接続され、アプリケーションプログラムの命令を一時的に記憶するとともに一時記憶空間を提供するためのＲＡＭ（Ｒａｎｄｏｍ  Ａｃｃｅｓｓ  Ｍｅｍｏｒｙ）３４１６と、アプリケーションプログラム、システムプログラム、及びデータを記憶するためのハードディスク３４１７とを含む。ここでは、図示しないが、コンピュータ３４１は、さらに、ＬＡＮへの接続を提供するネットワークカードを含んでも良い。
【０２０４】
コンピュータシステム３４０に、上述した実施の形態の解答情報処理装置、採点情報処理装置等の機能を実行させるプログラムは、ＣＤ−ＲＯＭ３５０１、またはＦＤ３５０２に記憶されて、ＣＤ−ＲＯＭドライブ３４１２またはＦＤドライブ３４１１に挿入され、さらにハードディスク３４１７に転送されても良い。これに代えて、プログラムは、図示しないネットワークを介してコンピュータ３４１に送信され、ハードディスク３４１７に記憶されても良い。プログラムは実行の際にＲＡＭ３４１６にロードされる。プログラムは、ＣＤ−ＲＯＭ３５０１、ＦＤ３５０２またはネットワークから直接、ロードされても良い。
【０２０５】
プログラムは、コンピュータ３４１に、上述した実施の形態の解答情報処理装置、採点情報処理装置等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３４０がどのように動作するかは周知であり、詳細な説明は省略する。
【０２０６】
なお、上記プログラムにおいて、情報を送信するステップや、情報を受信するステップなどでは、ハードウェアによって行われる処理、例えば、送信ステップにおけるモデムやインターフェースカードなどで行われる処理（ハードウェアでしか行われない処理）は含まれない。
【０２０７】
また、上記プログラムを実行するコンピュータは、単数であってもよく、複数であってもよい。すなわち、集中処理を行ってもよく、あるいは分散処理を行ってもよい。
【０２０８】
また、上記各実施の形態において、一の装置に存在する２以上の通信手段（端末情報送信部、端末情報受信部など）は、物理的に一の媒体で実現されても良いことは言うまでもない。
【０２０９】
また、上記各実施の形態において、各処理（各機能）は、単一の装置（システム）によって集中処理されることによって実現されてもよく、あるいは、複数の装置によって分散処理されることによって実現されてもよい。
【０２１０】
本発明は、以上の実施の形態に限定されることなく、種々の変更が可能であり、それらも本発明の範囲内に包含されるものであることは言うまでもない。
【産業上の利用可能性】
【０２１１】
以上のように、本発明にかかる情報処理システムは、採点者に解答者を特定できないため、公正な採点が期待できる、という効果を有し、教育システム等として有用である。
【図面の簡単な説明】
【０２１２】
【図１】実施の形態１における情報処理システムの概念図
【図２】同情報処理システムのブロック図
【図３】同電子ペンの構成図
【図４】同解答情報処理装置の動作について説明するフローチャート
【図５】同媒体の例を示す図
【図６】同ユーザ管理表を示す図
【図７】同解答関連情報管理表を示す図
【図８】同解答関連情報管理表を示す図
【図９】同媒体の例を示す図
【図１０】同媒体の例を示す図
【図１１】同パソコンの入力画面の例を示す図
【図１２】実施の形態２における情報処理システムのブロック図
【図１３】同採点情報処理装置の動作について説明するフローチャート
【図１４】同印刷処理の動作について説明するフローチャート
【図１５】同防止処理の動作について説明するフローチャート
【図１６】同採点結果判断処理の動作について説明するフローチャート
【図１７】同採点者記載領域管理表を示す図
【図１８】同媒体の例を示す図
【図１９】同媒体の例を示す図
【図２０】同採点者情報を示す図
【図２１】同媒体の例を示す図
【図２２】同採点者情報を示す図
【図２３】同媒体の例を示す図
【図２４】媒体の例を示す図
【図２５】媒体の例を示す図
【図２６】同コンピュータシステムの概観図
【図２７】同コンピュータシステムのブロック図
【符号の説明】
【０２１３】
１１  電子ペン
１２  端末装置
１３  解答情報処理装置
１４  媒体
２３  採点情報処理装置
１１１  ペン識別子格納部
１１２  座標情報取得部
１１３  ペン記載情報構成部
１１４  ペン記載情報送信部
１２１  ペン記載情報受信部
１２２  ペン記載情報転送部
１３１  解答情報受付部
１３２  解答識別子生成部
１３３  解答関連情報格納部
１３４  解答関連情報蓄積部
１３５  指示受付部
１３６  印刷部
２３１  採点者情報受信部
２３２  採点情報蓄積部
２３３  採点結果印刷部
２３４  採点結果判断部
２３５  不適切採点情報出力部
【図１】
0005339574.tif 000002
【図２】
0005339574.tif 000003
【図３】
0005339574.tif 000004
【図４】
0005339574.tif 000005
【図５】
0005339574.tif 000006
【図６】
0005339574.tif 000007
【図７】
0005339574.tif 000008
【図８】
0005339574.tif 000009
【図９】
0005339574.tif 000010
【図１０】
0005339574.tif 000011
【図１２】
0005339574.tif 000012
【図１３】
0005339574.tif 000013
【図１４】
0005339574.tif 000014
【図１５】
0005339574.tif 000015
【図１６】
0005339574.tif 000016
【図１７】
0005339574.tif 000017
【図１８】
0005339574.tif 000018
【図１９】
0005339574.tif 000019
【図２０】
0005339574.tif 000020
【図２１】
0005339574.tif 000021
【図２２】
0005339574.tif 000022
【図２３】
0005339574.tif 000023
【図２４】
0005339574.tif 000024
【図２５】
0005339574.tif 000025
【図２６】
0005339574.tif 000026
【図２７】
0005339574.tif 000027
【図１１】
0005339574.tif 000028